(57)【要約】【課題】ダンボール製造業者等用の商品台帳システムの特殊性を考慮して、商品情報（狭義）や付属情報等の商品情報（広義）の一覧性、視認性、操作性等、ユーザの使い勝手を大幅に改良する。【解決手段】商品台帳システム１１０は、ツリー表示手段１２により、第１の情報表示領域１０１に、取引先名と、商品名と、付属名と、材料名とを、取引先名、商品名、付属名及び材料名の順のツリー状となるよう、互いに関連付けてツリー表示する。更に、階層表示手段２０により、第1の情報表示領域１０１に表示された商品名、付属名及び材料名のいずれか一つを選択すると、商品情報ボックス１１１、付属情報ボックス１１２及び材料情報ボックス１１３を、商品情報ボックス１１１、付属情報ボックス１１２及び材料情報ボックス１１３の順の階層状となるよう、互いに関連付けて前記第２の情報表示領域１０２に階層表示する。【選択図】  図１
2007108870.tif 000002
【特許請求の範囲】
【請求項１】
第１の情報表示領域及び第２の情報表示領域を、互いに隣接配置してモニタに表示する情報領域表示手段と、
第１の情報表示領域に、取引先を表す取引先名と、当該取引先についての取扱品であるセット品としての商品を表す商品名と、当該セット品に付属する付属品を表す付属名と、当該付属品に使用される材料を表す材料名とを、前記取引先名、前記商品名、前記付属名及び前記材料名の順のツリー状となるよう、互いに関連付けてツリー表示するツリー表示手段と、
前記第１の情報表示領域に表示された商品名、付属名及び材料名のいずれか一つを選択すると、選択された商品に関する台帳情報である商品情報を表示する商品情報ボックス、付属品に関する台帳情報である付属情報を表示する付属情報ボックス及び材料に関する台帳情報である材料情報を表示する材料情報ボックスを、前記商品情報ボックス、前記付属情報ボックス及び前記材料情報ボックスの順の階層状となるよう、互いに関連付けて前記第２の情報表示領域に階層表示する階層表示手段と
を備えることを特徴とする商品台帳システム。
【請求項２】
前記階層表示手段は、
前記第１の情報表示領域に表示された商品名を選択すると、選択された商品名の商品に関する前記商品情報ボックスのみを前記第２の情報表示領域に表示し、
前記第１の情報表示領域に表示された付属名を選択すると、選択された付属名の付属品が付属する商品に関する前記商品情報ボックスと、選択された当該付属品に関する前記付属情報ボックスとの両者のみを、前記商品情報ボックスを上位とし前記付属情報ボックスを下位として、前記第２の情報表示領域に階層表示し、
前記第１の情報表示領域に表示された材料名を選択すると、選択された材料名の材料を使用する付属品が付属する商品に関する前記商品情報ボックスと、選択された当該材料を使用する当該付属品に関する前記付属情報ボックスと、選択された当該材料に関する材料情報ボックスとを、前記商品情報ボックスを上位とし、前記付属情報ボックスを中位とし、前記材料情報ボックスを下位として、前記第２の情報表示領域に階層表示することを特徴とする請求項１記載の商品台帳システム。
【請求項３】
更に、取引先に関する台帳情報である取引先情報と、前記商品情報と、前記付属情報と、前記材料情報とを互いに関連付けて格納する格納手段と、
前記取引先ごとに、前記商品情報と前記付属情報と前記材料情報とを互いに関連付けて前記格納手段に登録及び格納する登録手段と、
前記格納手段に登録された特定の取引先に関連付けた商品情報を、別の取引先の新規登録に係る商品情報としてショートカットにより関連付けて登録し、前記格納手段に登録された特定の商品に関連付けた付属情報を、別の商品の新規登録に係る付属情報としてショートカットにより関連付けて登録し、前記格納手段に登録された特定の付属品に関連付けた材料情報を、別の付属品の新規登録に係る材料情報としてショートカットにより関連付けて登録する関連登録手段と
を備えることを特徴とする請求項１または２記載の商品台帳システム。
【請求項４】
前記ツリー表示手段は、前記関連登録手段によりショートカットとして登録した商品情報、付属情報または材料情報を、前記第１の情報表示領域に表示した前記取引先名、商品名及び付属名のうち、当該商品情報、付属情報または材料情報が属する取引先名、商品名または付属名の下位情報として、当該商品名、付属名または材料名の前にショートカットアイコンを付してツリー表示することを特徴とする請求項３記載の商品台帳システム。
【請求項５】
前記階層表示手段は、前記商品情報ボックスに仕入単位ボックスを設けて、前記仕入単位ボックスにより、商品単位での仕入である商品仕入と当該商品を構成する付属品単位の仕入である付属仕入とのいずれかを選択自在とし、前記仕入単位ボックスで商品仕入を選択すると、前記商品情報ボックスのみで商品管理のために必要な情報を管理する一方、前記仕入単位ボックスで付属仕入を選択すると、前記商品情報ボックス及び前記付属情報ボックスの両者で商品管理のために必要な情報を管理することを特徴とする請求項１乃至４のいずれか１項記載の商品台帳システム。
【請求項６】
前記階層表示手段は、前記付属情報ボックスに仕入単位ボックスを設けて、前記仕入単位ボックスにより、付属品単位の仕入である付属仕入と当該付属品を構成する材料単位での仕入れである材料仕入とのいずれかを選択自在とし、前記仕入単位ボックスで付属仕入を選択すると、前記付属情報ボックスのみで付属品管理のために必要な情報を管理する一方、前記仕入単位ボックスで材料仕入を選択すると、前記付属情報ボックス及び前記材料情報ボックスの両者で付属品管理のために必要な情報を管理することを特徴とする請求項５記載の商品台帳システム。
【請求項７】
前記階層表示手段は、
前記材料情報ボックス内に、自社で材料としてのシート材料を加工して付属品を製造する場合における仕入材料としての当該シート材に関する材料情報であるシート情報を表示するシート情報ボックスと、外部で材料を加工して製造した付属品用の半製品を仕入れる場合における当該半製品に関する材料情報である半製品情報を表示する半製品情報ボックスとを選択的に表示自在とすると共に、
前記材料情報ボックス内において前記シート情報ボックス及び前記半製品情報ボックス以外の領域に、手配区分ボックスを設けて、前記付属情報ボックスの前記仕入単位ボックスで材料仕入を選択した場合に、前記手配区分ボックスにより、前記シート材単位の仕入であるシート仕入と前記半製品単位の仕入である半製品仕入とのいずれかを選択自在とし、前記手配区分ボックスでシート仕入を選択すると、前記シート情報ボックスにより材料管理のために必要な情報を管理する一方、前記手配区分選択ボックスで半製品仕入を選択すると、前記半製品情報ボックスにより材料管理のために必要な情報を管理することを特徴とする請求項６記載の商品台帳システム。
【請求項８】
更に、前記商品情報ボックス及び／または付属情報ボックスに設けられ、カレーパレットを呼出し自在なカラーパレット呼出手段と、
前記第１の情報表示領域に表示した取引先名、商品名、付属名及び材料名の少なくともいずれか一つに対して、前記カラーパレット呼出手段により呼出したカラーパレットから所望の色を選択することにより、当該色の背景色を付与して強調表示する背景色付与手段とを備えることを特徴とする請求項１乃至７のいずれか１項記載の商品台帳システム。
【請求項９】
前記第２の表示領域は、基本情報パネルと、画像情報パネルと、ファイル情報パネルと、取引明細情報パネルとを選択自在に表示し、
前記階層表示手段は、
前記商品情報ボックス、前記付属情報ボックス及び前記材料情報ボックスを前記基本情報パネルに階層表示する基本情報表示手段と、
特定の商品情報ボックスを選択した状態で前記画像情報パネルを開くと、当該商品情報ボックスに係る商品の画像情報である商品画像情報を当該画像情報パネルに表示し、特定の付属情報ボックスを選択した状態で前記画像情報パネルを開くと、当該付属情報ボックスに係る付属品の画像情報である付属画像情報を当該画像情報パネルに表示し、特定の材料情報ボックスを選択した状態で前記画像情報パネルを開くと、当該材料情報ボックスに係る材料の画像情報である材料画像情報を当該画像情報パネルに表示する画像情報表示手段と、
特定の商品情報ボックスを選択した状態で前記ファイル情報パネルを開くと、当該商品情報ボックスに係る商品のファイル情報であるＣＡＤ情報等の商品ファイル情報を当該ファイル情報パネルに表示し、特定の付属情報ボックスを選択した状態で前記ファイル情報パネルを開くと、当該付属情報ボックスに係る付属品のファイル情報である付属ファイル情報を当該ファイル情報パネルに表示し、特定の材料情報ボックスを選択した状態で前記ファイル情報パネルを開くと、当該材料情報ボックスに係る材料のファイル情報である材料ファイル情報を当該ファイル情報パネルに表示するファイル情報表示手段と、
特定の商品情報ボックスを選択した状態で前記取引明細情報パネルを開くと、当該商品情報ボックスに係る商品の取引明細情報である商品取引明細情報を当該取引明細情報パネルに表示し、特定の付属情報ボックスを選択した状態で前記取引明細情報パネルを開くと、当該付属情報ボックスに係る付属品の取引明細情報である付属取引明細情報を当該取引明細情報パネルに表示し、特定の材料情報ボックスを選択した状態で前記取引明細情報パネルを開くと、当該材料情報ボックスに係る材料の取引明細情報である材料取引明細情報を当該取引明細情報パネルに表示する取引明細表示手段とを有する
ことを特徴とする請求項１乃至８のいずれか１項記載の商品台帳システム。
【請求項１０】
更に、前記画像情報パネルを開いたときに、新たな画像情報を登録するための画像登録ボタンを当該画像情報ボックスの一部に表示すると共に、前記画像情報パネル内の前記画像登録ボタンを選択実行すると、新規画像登録用の画像登録画面を別ウインドウで表示する画像登録手段を備え、
前記基本情報パネル内の商品情報ボックス、付属情報ボックス及び材料情報ボックスのいずれか一つを選択した状態で前記画像情報パネルを開き、当該画像情報パネル内の前記画像登録ボタンを選択実行して前記画像登録手段により新規画像を登録すると、当該画像情報パネルとの関係で選択状態にある商品情報ボックスの商品情報、付属情報ボックスの付属情報または材料情報ボックスの材料情報と関連付けて、当該新規画像を登録することを特徴とする請求項９記載の商品台帳システム。
【請求項１１】
第１の情報表示領域及び第２の情報表示領域を、互いに隣接配置してモニタに表示する情報領域表示手順と、
第１の情報表示領域に、取引先を表す取引先名と、当該取引先についての取扱品であるセット品としての商品を表す商品名と、当該セット品に付属する付属品を表す付属名と、当該付属品に使用される材料を表す材料名とを、前記取引先名、前記商品名、前記付属名及び前記材料名の順のツリー状となるよう、互いに関連付けてツリー表示するツリー表示手順と、
前記第１の情報表示領域に表示された商品名、付属名及び材料名のいずれか一つを選択すると、選択された商品に関する台帳情報である商品情報を表示する商品情報ボックス、付属品に関する台帳情報である付属情報を表示する付属情報ボックス及び材料に関する台帳情報である材料情報を表示する材料情報ボックスを、前記商品情報ボックス、前記付属情報ボックス及び前記材料情報ボックスの順の階層状となるよう、互いに関連付けて前記第２の情報表示領域に階層表示する階層表示手順と
をコンピュータに実行させることを特徴とする商品台帳システム用プログラム。
【請求項１２】
請求項１１記載の商品台帳システム用プログラムを記録したコンピュータ読み取り可能な記録媒体。
【請求項１３】
第１の情報表示領域及び第２の情報表示領域を、互いに隣接配置してモニタに表示する情報領域表示手段と、
第１の情報表示領域に、取引先を表す取引先名と、当該取引先についての取扱品である完成品としての商品を表す商品名と、当該完成品を構成する部品を表す部品名と、当該部品を構成する材料を表す材料名とを互いに関連付けてツリー表示するツリー表示手段と、
前記第１の情報表示領域に表示された取引先名、商品名、部品名及び材料名のいずれか一つを選択すると、選択された取引先、商品、部品または材料に関する台帳情報を前記第２の情報表示領域に表示する台帳情報表示手段と
を備えることを特徴とする商品台帳システム。
【発明の詳細な説明】
【技術分野】
【０００１】
本発明は、商品台帳システム、商品台帳システム用プログラム及び商品台帳システム用プログラムの記録媒体に関し、特に、段ボール箱製造業者や紙器製造業者等の製函業者が生産管理を行う場合の商品マスタとして特に適した商品台帳システム、商品台帳システム用プログラム及び商品台帳システム用プログラムの記録媒体に関する。
【背景技術】
【０００２】
段ボールにより段ボール箱を製造する段ボール箱製造製函業者や、紙材により紙器を製造する紙器製造業者等の製函業者は、生産管理システムとして、受発注管理、売上管理、加工管理、在庫管理、配送管理等、各種の管理を行うソフトウエアシステムを導入することがある。このような従来の生産管理システムは、予め、商品（製品）マスタとしての商品（製品）台帳システムのデータベースに、各種商品情報（商品名、商品分類、単価、仕様、仕入情報、在庫情報等）を格納し、必要に応じた情報を上記各種管理のためのプログラムモジュールに商品台帳システムから入力するようにしている。そして、従来の生産管理システムでは、かかる商品台帳に、使用者（ユーザ）が必要な情報を閲覧、入力、編集等するためのユーザインタフェースとして、グラフィカルユーザインタフェース（ＧＵＩ）を提供し、使用してユーザの便宜を図っている。しかし、従来の商品台帳システムは、ＧＵＩの情報表示画面（情報表示ウインドウ）内に、テキストボックスやリストボックス等の多数のボックスを並列的に配置し、各ボックス内に商品名、単価等の各種商品情報を表示してユーザの閲覧に供したり、各ボックス内において所定の情報を選択、入力、編集等させたりするようにしている。したがって、従来の商品台帳システムは、ＧＵＩを採用するものの、一覧性、視認性、操作性等、ユーザの使い勝手の点で大幅に改善する余地がある。
【０００３】
なお、段ボール箱や紙器の商品台帳システムについては特許文献を発見できなかったが、生産台帳システムに関する技術として、例えば、特許文献１に記載の技術がある。
【特許文献１】特開００００−００００００号公報
【０００４】
特許文献１には、閲覧者が必要とする情報のみを、閲覧者が見やすいような形式で提示する生産台帳サーバが開示されている。特許文献１の技術は、基幹システムには、各部門から送信された様々な業務に関わるデータを記録している。閲覧者（ユーザ）は閲覧したい情報の項目、提示形式を含む提示パターン情報等を、ユーザＩＤと関連付けて生産台帳サーバに記録させる。生産台帳サーバは、基幹システムから送信された最新の情報を記憶している。生産台帳サーバは、閲覧者からユーザＩＤと情報検索要求を受信した場合、該閲覧者の提示パターン情報に基づいて閲覧者の端末に提示させる。また、提示させた情報を、閲覧者が見やすいように加工する。
【発明の開示】
【発明が解決しようとする課題】
【０００５】
しかし、特許文献１に記載の技術は、やはり、段ボール製造業者等用の商品台帳システムの特殊性を考慮したものではなく、また、ユーザインタフェースにおける一覧性、視認性、操作性等、ユーザの使い勝手の点で、やはり、大幅に改善する余地がある。
【０００６】
そこで、本発明は、特に、ダンボール製造業者等用の商品台帳システムの特殊性を考慮して、商品情報（狭義）や付属情報等の商品情報（広義）の一覧性、視認性、操作性等、ユーザの使い勝手を大幅に改良した商品台帳システム、商品台帳システム用プログラム及び商品台帳システム用プログラムの記録媒体の提供を課題とする。
【課題を解決するための手段】
【０００７】
請求項１に係る商品台帳システムは、情報領域表示手段により第１の情報表示領域及び第２の情報表示領域を、互いに隣接配置してモニタに表示する。また、ツリー表示手段により、第１の情報表示領域に、取引先を表す取引先名と、当該取引先についての取扱品であるセット品としての商品を表す商品名と、当該セット品に付属する付属品を表す付属名と、当該付属品に使用される材料を表す材料名とを、前記取引先名、前記商品名、前記付属名及び前記材料名の順のツリー状となるよう、互いに関連付けてツリー表示する。更に、階層表示手段により、前記第１の情報表示領域に表示された商品名、付属名及び材料名のいずれか一つを選択すると、選択された商品に関する台帳情報である商品情報を表示する商品情報ボックス、付属品に関する台帳情報である付属情報を表示する付属情報ボックス及び材料に関する台帳情報である材料情報を表示する材料情報ボックスを、前記商品情報ボックス、前記付属情報ボックス及び前記材料情報ボックスの順の階層状となるよう、互いに関連付けて前記第２の情報表示領域に階層表示する。
【０００８】
請求項２に係る商品台帳システムは、請求項１の構成において、前記階層表示手段は、前記第１の情報表示領域に表示された商品名を選択すると、選択された商品名の商品に関する前記商品情報ボックスのみを前記第２の情報表示領域に表示する。また、前記第１の情報表示領域に表示された付属名を選択すると、選択された付属名の付属品が付属する商品に関する前記商品情報ボックスと、選択された当該付属品に関する前記付属情報ボックスとの両者のみを、前記商品情報ボックスを上位とし前記付属情報ボックスを下位として、前記第２の情報表示領域に階層表示する。更に、前記第１の情報表示領域に表示された材料名を選択すると、選択された材料名の材料を使用する付属品が付属する商品に関する前記商品情報ボックスと、選択された当該材料を使用する当該付属品に関する前記付属情報ボックスと、選択された当該材料に関する材料情報ボックスとを、前記商品情報ボックスを上位とし、前記付属情報ボックスを中位とし、前記材料情報ボックスを下位として、前記第２の情報表示領域に階層表示する。
【０００９】
請求項３に係る商品台帳システムは、請求項１または２の構成において、更に、格納手段が、取引先に関する台帳情報である取引先情報と、前記商品情報と、前記付属情報と、前記材料情報とを互いに関連付けて格納する。また、登録手段が、前記取引先ごとに、前記商品情報と前記付属情報と前記材料情報とを互いに関連付けて前記格納手段に登録及び格納する。更に、関連登録手段が、前記格納手段に登録された特定の取引先に関連付けた商品情報を、別の取引先の新規登録に係る商品情報としてショートカットにより関連付けて登録し、前記格納手段に登録された特定の商品に関連付けた付属情報を、別の商品の新規登録に係る付属情報としてショートカットにより関連付けて登録し、前記格納手段に登録された特定の付属品に関連付けた材料情報を、別の付属品の新規登録に係る材料情報としてショートカットにより関連付けて登録する。
【００１０】
請求項４に係る商品台帳システムは、請求項３の構成において、前記ツリー表示手段が、前記関連登録手段によりショートカットとして登録した商品情報、付属情報または材料情報を、前記第１の情報表示領域に表示した前記取引先名、商品名及び付属名のうち、当該商品情報、付属情報または材料情報が属する取引先名、商品名または付属名の下位情報として、当該商品名、付属名または材料名の前にショートカットアイコンを付してツリー表示する。
【００１１】
請求項５に係る商品台帳システムは、請求項１乃至４のいずれかの構成において、前記階層表示手段が、前記商品情報ボックスに仕入単位ボックスを設けて、前記仕入単位ボックスにより、商品単位での仕入である商品仕入と当該商品を構成する付属品単位の仕入である付属仕入とのいずれかを選択自在とし、前記仕入単位ボックスで商品仕入を選択すると、前記商品情報ボックスのみで商品管理のために必要な情報を管理する一方、前記仕入単位ボックスで付属仕入を選択すると、前記商品情報ボックス及び前記付属情報ボックスの両者で商品管理のために必要な情報を管理する。
【００１２】
請求項６に係る商品台帳システムは、請求項５の構成において、前記階層表示手段が、前記付属情報ボックスに仕入単位ボックスを設けて、前記仕入単位ボックスにより、付属品単位の仕入である付属仕入と当該付属品を構成する材料単位での仕入れである材料仕入とのいずれかを選択自在とし、前記仕入単位ボックスで付属仕入を選択すると、前記付属情報ボックスのみで付属品管理のために必要な情報を管理する一方、前記仕入単位ボックスで材料仕入を選択すると、前記付属情報ボックス及び前記材料情報ボックスの両者で付属品管理のために必要な情報を管理する。
【００１３】
請求項７に係る商品台帳システムは、請求項６の構成において、前記階層表示手段が、前記材料情報ボックス内に、自社で材料としてのシート材料を加工して付属品を製造する場合における仕入材料としての当該シート材に関する材料情報であるシート情報を表示するシート情報ボックスと、外部で材料を加工して製造した付属品用の半製品を仕入れる場合における当該半製品に関する材料情報である半製品情報を表示する半製品情報ボックスとを選択的に表示自在とする。また、前記材料情報ボックス内において前記シート情報ボックス及び前記半製品情報ボックス以外の領域に、手配区分ボックスを設けて、前記付属情報ボックスの前記仕入単位ボックスで材料仕入を選択した場合に、前記手配区分ボックスにより、前記シート材単位の仕入であるシート仕入と前記半製品単位の仕入である半製品仕入とのいずれかを選択自在とし、前記手配区分ボックスでシート仕入を選択すると、前記シート情報ボックスにより材料管理のために必要な情報を管理する。一方、前記手配区分選択ボックスで半製品仕入を選択すると、前記半製品情報ボックスにより材料管理のために必要な情報を管理する。
【００１４】
請求項８に係る商品台帳システムは、請求項１乃至７のいずれかの構成において、更に、カラーパレット呼出手段が、前記商品情報ボックス及び／または付属情報ボックスに設けられ、カレーパレットを呼出し自在である。また、背景色付与手段が、前記第１の情報表示領域に表示した取引先名、商品名、付属名及び材料名の少なくともいずれか一つに対して、前記カラーパレット呼出手段により呼出したカラーパレットから所望の色を選択することにより、当該色の背景色を付与して強調表示する。
【００１５】
請求項９に係る商品台帳システムは、請求項１乃至８のいずれかの構成において、前記第２の表示領域が、基本情報パネルと、画像情報パネルと、ファイル情報パネルと、取引明細情報パネルとを選択自在に表示する。また、前記階層表示手段の基本情報表示手段が、前記商品情報ボックス、前記付属情報ボックス及び前記材料情報ボックスを前記基本情報パネルに階層表示する。更に、画像情報表示手段が、特定の商品情報ボックスを選択した状態で前記画像情報パネルを開くと、当該商品情報ボックスに係る商品の画像情報である商品画像情報を当該画像情報パネルに表示し、特定の付属情報ボックスを選択した状態で前記画像情報パネルを開くと、当該付属情報ボックスに係る付属品の画像情報である付属画像情報を当該画像情報パネルに表示し、特定の材料情報ボックスを選択した状態で前記画像情報パネルを開くと、当該材料情報ボックスに係る材料の画像情報である材料画像情報を当該画像情報パネルに表示する。一方、ファイル情報表示手段が、特定の商品情報ボックスを選択した状態で前記ファイル情報パネルを開くと、当該商品情報ボックスに係る商品のファイル情報であるＣＡＤ情報等の商品ファイル情報を当該ファイル情報パネルに表示し、特定の付属情報ボックスを選択した状態で前記ファイル情報パネルを開くと、当該付属情報ボックスに係る付属品のファイル情報である付属ファイル情報を当該ファイル情報パネルに表示し、特定の材料情報ボックスを選択した状態で前記ファイル情報パネルを開くと、当該材料情報ボックスに係る材料のファイル情報である材料ファイル情報を当該ファイル情報パネルに表示する。また、取引明細表示手段が、特定の商品情報ボックスを選択した状態で前記取引明細情報パネルを開くと、当該商品情報ボックスに係る商品の取引明細情報である商品取引明細情報を当該取引明細情報パネルに表示し、特定の付属情報ボックスを選択した状態で前記取引明細情報パネルを開くと、当該付属情報ボックスに係る付属品の取引明細情報である付属取引明細情報を当該取引明細情報パネルに表示し、特定の材料情報ボックスを選択した状態で前記取引明細情報パネルを開くと、当該材料情報ボックスに係る材料の取引明細情報である材料取引明細情報を当該取引明細情報パネルに表示する。
【００１６】
請求項１０に係る商品台帳システムは、請求項９の構成において、更に、画像登録手段が、前記画像情報パネルを開いたときに、新たな画像情報を登録するための画像登録ボタンを当該画像情報ボックスの一部に表示すると共に、前記画像情報パネル内の前記画像登録ボタンを選択実行すると、新規画像登録用の画像登録画面を別ウインドウで表示する。そして、前記基本情報パネル内の商品情報ボックス、付属情報ボックス及び材料情報ボックスのいずれか一つを選択した状態で前記画像情報パネルを開き、当該画像情報パネル内の前記画像登録ボタンを選択実行して前記画像登録手段により新規画像を登録すると、当該画像情報パネルとの関係で選択状態にある商品情報ボックスの商品情報、付属情報ボックスの付属情報または材料情報ボックスの材料情報と関連付けて、当該新規画像を登録する。
【００１７】
請求項１１に係る商品台帳システム用プログラムは、第１の情報表示領域及び第２の情報表示領域を、互いに隣接配置してモニタに表示する情報領域表示手順と、第１の情報表示領域に、取引先を表す取引先名と、当該取引先についての取扱品であるセット品としての商品を表す商品名と、当該セット品に付属する付属品を表す付属名と、当該付属品に使用される材料を表す材料名とを、前記取引先名、前記商品名、前記付属名及び前記材料名の順のツリー状となるよう、互いに関連付けてツリー表示するツリー表示手順と、前記第1の情報表示領域に表示された商品名、付属名及び材料名のいずれか一つを選択すると、選択された商品に関する台帳情報である商品情報を表示する商品情報ボックス、付属品に関する台帳情報である付属情報を表示する付属情報ボックス及び材料に関する台帳情報である材料情報を表示する材料情報ボックスを、前記商品情報ボックス、前記付属情報ボックス及び前記材料情報ボックスの順の階層状となるよう、互いに関連付けて前記第２の情報表示領域に階層表示する階層表示手順とをコンピュータに実行させる。
【００１８】
請求項１２に係る商品台帳システム用プログラムの記録媒体は、請求項１１記載の商品台帳システム用プログラムを記録したコンピュータ読み取り可能な記録媒体である。
【００１９】
請求項１３に係る商品台帳システムは、情報領域表示手段が、第１の情報表示領域及び第２の情報表示領域を、互いに隣接配置してモニタに表示する。また、ツリー表示手段が、第１の情報表示領域に、取引先を表す取引先名と、当該取引先についての取扱品である完成品としての商品を表す商品名と、当該完成品を構成する部品を表す部品名と、当該部品を構成する材料を表す材料名とを互いに関連付けてツリー表示する。更に、台帳情報表示手段が、前記第１の情報表示領域に表示された取引先名、商品名、部品名及び材料名のいずれか一つを選択すると、選択された取引先、商品、部品または材料に関する台帳情報を前記第２の情報表示領域に表示する。
【発明の効果】
【００２０】
本発明に係る商品台帳システムは、上記のように構成したため、特に、ダンボール製造業者等用の商品台帳システムの特殊性を考慮して、商品情報（狭義）や付属情報等の商品情報（広義）の一覧性、視認性、操作性等、ユーザの使い勝手を大幅に改良することができる。
【００２１】
また、本発明に係る商品台帳システム用プログラム及び同プログラムを記録したコンピュータ読み取り可能な記録媒体は、上記のように構成したため、特に、ダンボール製造業者等用の商品台帳システムの特殊性を考慮して、商品情報（狭義）や付属情報等の商品情報（広義）の一覧性、視認性、操作性等、ユーザの使い勝手を大幅に改良することができる。
【発明を実施するための最良の形態】
【００２２】
以下、本発明を実施するための最良の形態（以下、実施の形態という）を説明する。図１は本発明の一実施の形態に係る商品台帳システムの全体構成を示す機能ブロック図である。
図１に示すように、本実施の形態の商品台帳システム１００は、モニタ１１の画面１２に情報ウインドウを表示して当該情報ウインドウに商品情報を表示する商品台帳システムである。ここで、商品台帳システム１００は、図示はしないが、通常のコンピュータ用アプリケーションシステムと同様、パーソナルコンピュータ等のコンピュータ装置のハードウエア（ＣＰＵ，ＲＯＭ，ＲＡＭ，ＨＤＤ等）を利用して、以下に述べる各種機能実現手段により対応する各種機能を実現する。即ち、商品台帳システム１００は、通常は、ソフトウエアプログラム（アプリケーションプログラム）として、コンピュータ装置のハードディスク（ＨＤＤ）等の外部記憶装置に格納され、使用時に外部記憶装置から呼出すことにより、ＣＰＵ，ＲＡＭ等のハードウエアを利用して各種機能実現手段により対応する各種機能を実現する。無論、商品台帳システム１００の機能の一部を、ソフトウエアプログラムとしてではなくハードウエアロジックにより実現することも可能である。
【００２３】
まず、商品台帳システム１００は、情報領域表示手段１１を備え、情報領域表示手段１１により、一つの情報表示ウインドウを表示すると共に、その情報表示ウインドウを、左端側の縦長帯状の表示領域である第１の情報表示領域（ツリー表示領域）１０１と、右側の横長の大寸法の表示領域である第２の情報表示領域１０２とに分け、それらを左右に隣接配置して表示する。なお、後述するように、第１の情報表示領域１０１は、取引先や商品等のタイトル（名称）をツリー表示するツリー表示領域であり、第２の情報表示領域１０２は、第１の情報表示領域１０１に表示した商品等についての詳細情報（台帳掲載情報）を階層表示等により表示する台帳情報表示領域である。
【００２４】
商品台帳システム１００は、更に、ツリー表示手段１２と、階層表示手段２０と、リスト表示手段２５とを備える。階層表示手段２０は、基本情報表示手段２１、画像情報表示手段２２、ファイル情報表示手段２３、取引明細表示手段２４を有する。また、商品台帳システム１００は、更に、カラーパレット呼出手段３１及び背景色付与手段３２を備ええる。商品台帳システム１００は、更に、表示制御手段３５を備える。そして、商品台帳システム１００は、情報領域表示手段１１、ツリー表示手段１２、階層表示手段２０、リスト表示手段２５の各々からの情報を制御してモニタ１１に出力し、その画面１２に前記第１及び第２の情報表示領域１０１，１０２を表示すると共に、第１の情報表示領域１０１に所定の情報（取引先名等）をツリー表示し、第２の情報表示領域１０２に所定の情報（台帳情報等）を階層表示等する。
【００２５】
詳細には、商品台帳システム１００は、取引先に関する台帳情報である取引先情報を格納する取引先情報格納手段４１と、商品に関する台帳情報である商品情報を格納する商品情報格納手段５１と、付属品に関する台帳情報である付属情報を格納する付属情報格納手段５２と、材料に関する台帳情報である材料情報を格納する材料情報格納手段５３とを備える。ここで、商品情報格納手段５１に格納される商品情報は（商品台帳全体から見ると）狭義の商品情報を構成し、商品情報格納手段５１に格納される商品情報、付属情報格納手段５２に格納される付属情報及び材料情報格納手段５３に格納される材料情報により、（商品台帳全体から見た）広義の商品情報が構成される。また、本実施の形態では、リレーショナルデータベース等のデータベースを使用し、前記取引先情報、商品情報（狭義）、付属情報及び材料情報を、互いに関連付けて、データベースの所定の格納領域である取引先情報格納手段（格納領域）４１、商品情報格納手段５１、付属情報格納手段５２及び材料情報格納手段５３にそれぞれ格納している。よって、商品情報格納手段５１、付属情報格納手段５２及び材料情報格納手段５３は、広義の商品情報を格納する商品データベース５０を構成する。
【００２６】
また、商品台帳システム１００は、画像情報格納手段６１と、ファイル情報格納手段６２と、取引明細情報格納手段６３とを備える。画像情報格納手段６１は、前記商品情報格納手段５１に格納した商品情報（狭義）、付属情報格納手段５２に格納した付属情報及び材料情報格納手段５３に格納した材料情報の各々に関連する画像情報（スキャン図面や写真等の静止画、動画等）を、当該商品情報、付属情報または材料情報に関連付けて格納する。同様に、ファイル情報格納手段６２は、前記商品情報格納手段５１に格納した商品情報（狭義）、付属情報格納手段５２に格納した付属情報及び材料情報格納手段５３に格納した材料情報の各々に関連するファイル情報（ＣＡＤファイルへのハイパーリンク等のリンク情報、仕様書等の文書情報等）を、当該商品情報、付属情報または材料情報に関連付けて格納する。同様に、取引明細情報格納手段６３は、前記商品情報格納手段５１に格納した商品情報（狭義）、付属情報格納手段５２に格納した付属情報及び材料情報格納手段５３に格納した材料情報の各々に関連する取引明細情報を、当該商品情報、付属情報または材料情報に関連付けて格納する。そして、これら画像情報格納手段６１、ファイル情報格納手段６２及び取引明細情報格納手段６３は、商品情報、付属情報及び材料情報に関連する関連情報を格納する関連情報データベース６０を構成する。
【００２７】
更に、商品台帳システム１００は、取引先情報格納手段４１に取引先情報を新規登録したり、登録した取引先情報を編集したりするための登録・編集手段７１を備える。また、商品台帳システム１００は、商品情報格納手段５１、付属情報格納手段５２及び材料情報格納手段５３に、それぞれ、商品情報（狭義）、付属情報及び材料情報を新規登録したり、登録した商品情報、付属情報及び材料情報を編集したりするための商品情報（広義）登録・編集用の登録・編集手段７２を備える。具体的には、登録・編集手段７２は、前記情報ウインドウの第２の表示領域の上部等に設けた新規登録ボタンや編集ボタンをクリック等して選択実行することにより、画面１２上に登録・編集ダイアログを表示する。そして、新規情報登録の場合、同登録・編集ダイアログを使用して、商品情報（狭義）、付属情報または材料情報を登録することにより、商品情報（狭義）、付属情報または材料情報が、前記商品情報格納手段５１、付属情報格納手段５２または材料情報格納手段５３に、それぞれ、格納される。このとき、商品情報（狭義）は、当該商品情報が属する取引先情報の下位データとして関連付けて格納され、付属情報は、当該付属情報が属する商品情報の下位データとして関連付けて格納され、材料情報は、当該材料情報が属する付属情報の下位データとして関連付けて格納される。よって、取引先情報、商品情報（狭義）、付属情報及び材料情報は、取引先情報を最上位とし、材料情報を最下位とする４階層の階層情報を構成する。また、商品情報（広義）データベース５０においては、商品情報（狭義）、付属情報及び材料情報は、商品情報を上位とし、付属情報を中位とし、材料情報を下位とする３階層の階層情報を構成する。
【００２８】
更にまた、商品台帳システム１００は、画像情報格納手段６１に画像情報を新規登録したり、登録した画像情報を編集したりするための登録・編集手段７３を備える。また、商品台帳システム１００は、ファイル情報格納手段６２にファイル情報を新規登録したり、登録したファイル情報を編集したりするための登録・編集手段７４を備える。更に、商品台帳システム１００は、取引明細情報格納手段６３に取引明細情報を新規登録したり、登録した取引明細情報を編集したりするための登録・編集手段７５を備える。一方、商品台帳システム１００は、前記取引先ごとに、前記商品情報と付属情報と材料情報とを互いに関連付けて、商品情報格納手段５１と付属情報格納手段５２と材料情報格納手段５３とに登録及び格納する関連登録手段８１を備える。即ち、関連登録手段８１は、特定の取引先情報に関連付けて（当該取引先情報の下位情報として）商品情報格納手段５１に格納した商品情報（狭義）を他の取引先情報の下位情報としてショートカット登録したり、特定の商品情報（狭義）に関連付けて（当該商品情報の下位情報として）付属情報格納手段５２に格納した付属情報を他の商品情報の下位情報としてショートカット登録したり、特定の付属情報に関連付けて（当該付属情報の下位情報として）材料情報格納手段５３に格納した材料情報を、他の付属情報の下位情報としてショートカット登録したりする機能を実現する。なお、「ショートカット登録」とは、例えば、第１の商品情報の下位情報である付属情報と同一の内容の付属情報を第２の商品情報の下位情報として格納したい場合に、付属情報格納手段５２に格納した第１の付属情報の所定の格納先（番地、アドレス等）を参照可能となるよう第２の商品情報の下位情報としてリンク付け等することをいい、この場合、同一内容の付属情報の実体を第２の商品情報のために別個に重複して格納することなく、第２の商品情報の下位情報として利用可能として、データを一元管理することができる。
【００２９】
以下、上記構成の商品台帳システム１００を、図２〜図１６を参照して、特にグラフィカルユーザインタフェース（ＧＵＩ）の面から説明する。図２は本発明の一実施の形態に係る商品台帳システムのＧＵＩを構成する商品台帳ウインドウを示す画面構成図である。図３は商品台帳ウインドウのうちの第１の情報表示領域としてのツリー表示領域を示す画面構成図である。
【００３０】
図２に示すように、商品台帳システム１００の情報ウインドウは、前記情報領域表示手段１１により、第１の情報表示領域１０１を左端部に、第２の情報表示ウインドウ１０２を残りの部分に並設して隣接配置したものである。第１の情報表示領域１０１には、前記ツリー表示手段１２により、取引先名、商品名、付属名、材料名がツリー表示されている。このとき、ツリー表示手段１２は、第１の情報表示領域１０１に、取引先（商品販売先である得意先）を表す取引先名と、当該取引先についての取扱品であるセット品としての商品を表す商品名と、当該セット品に付属する付属品を表す付属名と、当該付属品の製造に使用される材料を表す材料名とをツリー表示する。即ち、ツリー表示手段１２は、取引先名、商品名、付属名及び材料名の順のツリー状となるよう、それらを互いに関連付けて展開・折畳自在にツリー表示する機能を実現する。具体的には、ツリー表示手段１２は、図３に示すように、前記取引先情報格納手段４１、商品情報格納手段５１、付属情報格納手段５２及び材料情報格納手段５３から、それぞれ、取引先ＩＤ（１，２，３・・・）と取引先名（平成ダンボールシステム株式会社、平成ダンボール株式会社北海道支店、平成ダンボール株式会社福岡支店・・・）、商品ＩＤ（１−１，１−２，１−３・・・）と商品名（パレット胴枠キャップセット，ナポリハーフサイズセット，ミラノハーフサイズセット・・・）、付属ＩＤ（１−１−０，１−１−１・・・）と付属名（胴枠，キャップ・・・）及び材料ＩＤ（１−１−０−１・・・）と材料名（胴枠用シート）を取得し、取得した取引先ＩＤ、商品ＩＤ、付属ＩＤ及び材料ＩＤを階層情報（上位、下位に関する情報）として使用して、取引先ＩＤと取引先名、商品ＩＤと商品名、付属ＩＤと付属名及び材料ＩＤと材料名を昇順となるよう第１の情報表示領域１０１にツリー表示する。即ち、商品台帳システム１００は、使用者（ユーザ）にとっての全ての取引先について、それぞれ、一意の取引先コード（取引先ＩＤ）を付与し、各取引先に関する全ての取扱商品について、それぞれ、一意の商品コード（商品ＩＤ）を階層的に（取引先ＩＤの下位となるよう）付与し、各商品に関する全ての付属品について、それぞれ、一意の付属コード（付属ＩＤ）を階層的に（商品ＩＤの下位となるよう）付与し、各付属品に関する全ての材料について、それぞれ、一意の材料コード（材料ＩＤ）を階層的に（付属ＩＤの下位となるよう）付与する。
【００３１】
また、ツリー表示手段１２は、各取引先ＩＤの前（左側）に、取引先の属性を示すアイコン（売りのみを行う「売」、買いのみを行う「買」、その両方を行う「両」）を表示する。更に、ツリー表示手段１２は、各商品ＩＤの前（左側）に、ボックス乃至セット品であることを表す箱状のアイコンを表示する。更にまた、ツリー表示手段１２は、各付属ＩＤの前（左側）に、付属品であることを表すアイコン（「付」）を表示する。また、ツリー表示手段１２は、各材料ＩＤの前（左側）に、材料であることを表すアイコン（「材」）を表示する。なお、取引先に対して、上記商品（セット品）以外に、シートを商品（売買品）として取引する場合があり、この場合、第１の表示領域１０１には、シートであることを表すアイコン（シート状のアイコン）と、商品ＩＤに対応するシートＩＤと、シート名とが、前記商品と同一階層としてツリー表示される。また、取引先に対して、上記商品（セット品）以外に、クラフトテープ等のその他の物品を商品（売買品）として取引する場合があり、この場合、第１の表示領域１０１には、その他の物品であることを表すアイコン（「他」）と、商品ＩＤに対応するその他の物品ＩＤと、その他の物品名とが、前記商品と同一階層としてツリー表示される。
【００３２】
図3に示すように、第1の情報表示領域１０１の上端には、ツールバー１０１ａが表示され、そのツールバー１０１ａには、「上へ」、「更新」、「展開」といった所定の機能を発揮するボタンが配置されている。また、ツールバー１０１ａの上端には、商品を登録する登録先についての操作ボックス１０３と、商品に関する取引先及び商品についての操作ボックス１０４とが配置され、登録先（取引先）や商品を一覧で呼出したり、選択して表示したりできるようになっている。
【００３３】
一方、前記階層表示手段２０は、図２に示すように、基本情報表示手段２１により、第２の情報表示領域１０２に基本情報パネル１１０を表示する。なお、階層表示手段２０は、前記画像情報表示手段２２、ファイル情報表示手段２３及び取引明細表示手段２により、後述する画面情報パネル１２０、ファイル情報パネル１３０及び取引明細情報パネル１４０を、対応するタブを選択実行することにより、基本情報パネル１１０と同一位置に表示自在である。基本情報パネル１１０の上端部には、ツールバー１１０ａが表示され、ツールバー１１０ａには、「新規」、「保存」、「印刷」、「削除」、「画像」といった所定の機能を発揮するボタンが配置されている。また、階層表示手段２０の基本情報表示手段２１は、第２の情報表示領域１０２の基本情報パネル１１０に、商品情報ボックス１１１、付属情報ボックス１１２及び材料情報ボックス１１３を階層表示する。これら商品情報ボックス１１１、付属情報ボックス１１２及び材料情報ボックス１１３は、前記第１の情報表示領域１０１のツリー表示で選択された商品情報、付属情報または材料情報に対応して、商品情報、付属情報及び材料情報を階層表示するものである。即ち、第１の情報表示領域１０１に表示された商品名、付属名及び材料名のいずれか一つが選択されると、選択された商品に関する台帳情報である商品情報を表示する商品情報ボックス１１１、付属品に関する台帳情報である付属情報を表示する付属情報ボックス１１２及び材料に関する台帳情報である材料情報を表示する材料情報ボックス１１３が、商品情報ボックス１１１、付属情報ボックス１１２及び材料情報ボックス１１３の順の階層状となるよう、互いに関連付けて第２の情報表示領域１０２に階層表示される。
【００３４】
詳細には、階層表示手段２０の基本情報表示手段２１は、第１の情報表示領域１０１にツリー表示された商品名の一つが選択されると、商品情報ボックス１１１を前記第２の情報表示領域に表示し、選択された商品名の商品について用意した商品情報について、リストボックスやテキストボックス等を当該商品情報ボックス１１１内に所定態様で並列配置して表示する。なお、このとき、当該商品情報の下位情報である付属情報を表示する付属情報ボックス１１２及び材料情報を表示する材料情報ボックス１１３は、第２の情報表示領域１０２に表示されず、商品情報ボックス１１１のみが表示される。即ち、第１の情報表示領域１０１に表示された商品名が選択されると、選択された商品名の商品に関する商品情報ボックス１１１のみが第２の情報表示領域１０２に表示される。また、基本情報表示手段２１は、第１の情報表示領域１０１に表示された付属名の一つが選択されると、選択された付属名の付属品が付属する商品に関する商品情報ボックス１１１と、選択された当該付属品に関する付属情報ボックス１１２との両者のみを、商品情報ボックス１１１を上位とし付属情報ボックス１１２を下位として、第２の情報表示領域１０２に階層表示する。更に、基本情報表示手段２１は、第１の情報表示領域１０１に表示された材料名の一つが選択すると、選択された材料名の材料を使用する付属品が付属する商品に関する商品情報ボックス１１１と、選択された当該材料を使用する当該付属品に関する付属情報ボックス１１２と、選択された当該材料に関する材料情報ボックス１１３とを、商品情報ボックス１１１を上位とし、付属情報ボックス１１２を中位とし、材料情報ボックス１１３を下位として、第２の情報表示領域１０２に階層表示する。図２はこの状態を示し、第１の情報表示領域１０１の材料「１−１−０−１  胴枠用シート」が選択されたときの、第２の情報表示領域における基本情報パネル１１０の表示内容として、当該材料を使用する付属品が属する商品情報ボックス１１１、当該付属品の付属情報ボックス１１２及び当該材料の材料情報ボックス１１３を階層表示している。なお、かかる階層表示においては、商品情報ボックス１１１、付属情報ボックス１１２及び材料情報ボックスは、この順で右方へと所定距離ずつ位置をずらして階層表示され、上位、中位及び下位の情報であることを視覚的に表している。また、このとき、第２の情報表示領域１０２の上端部に設けたタイトルバー１０５には、第２の情報表示領域１０２に表示中の商品情報の商品ＩＤ及び商品名（０００１−０００１  パレット胴枠キャップセット）が表示されるようになっている。
【００３５】
なお、ユーザが第１の情報表示領域１０１に表示された取引先名を選択すると、階層表示手段２０は、基本情報表示手段２１を使用して、選択された取引先名の取引先についての取扱品である全商品の商品名を第２の情報表示領域にリスト表示する。このリスト表示においても、新規商品情報を登録したり、リスト表示された商品名を選択してその商品情報を編集・削除したり、リスト表示された商品情報を選択実行することでその商品情報を第２の情報表示領域１０２の基本情報パネル１１０に表示したりできるようになっている。また、商品情報ではない前記シートに関するシート情報若しくはその他の物品に関するその他の物品情報が選択されると、基本情報パネル１１０には、当該シート情報若しくはその他の物品情報の詳細を表示するシート情報ボックス若しくはその他の物品情報ボックスが表示される。
【００３６】
ここで、前記基本情報パネル１１０のツールバー１１０ａの「新規」ボタンは、前記登録・編集手段７２に対応し、この「新規」ボタンをマウスでクリック等して選択実行することにより、上記した商品、付属品及び材料の新規登録ダイアログ（図示略）が画面に表示される。なお、この新規登録ダイアログを使用して、登録情報の編集機能をも発揮することができる。この場合、リスト表示されたいずれかの商品名を選択して、「新規」ボタンを選択実行すると、新規登録ダイアログと同様の編集ダイアログが画面表示され、登録情報の編集を行うことができる。或いは、この場合、編集ダイアログ表示用の「編集」ボタンを別個に設けることもできる。また、「削除」ボタンを選択実行すると、削除ダイアログ（図示略）が画面に表示される。この削除ダイアログは、削除されるデータ（商品情報、付属情報、材料情報）をツリー状に表示し、削除の確認をするようになっており、更に、誤操作を防止するため、削除パスワードの入力を求め、正しい削除パスワードが入力された場合のみ、削除操作を受け付けて実行するようになっている。更に、第２の情報表示領域１０２に表示中の商品情報ボックス１１１、付属情報ボックス１１２または材料情報ボックス１１３のいずれかを選択して「画像」ボタンをクリックすると、階層表示手段２０の画像情報表示手段２２が、選択された商品情報ボックス１１１、付属情報ボックス１１２または材料情報ボックス１１３の商品情報、付属情報または材料情報に関連する画像情報を、別ウインドウで表示するようになっている。また、「画像」ボタンの右端の下向き矢印をクリックすることにより、「商品の画像」、「付属の画像」、「材料の画像」の選択項目を有するリストボックスが表示される。そして、「商品の画像」、「付属の画像」または「材料の画像」のいずれかをクリックすることにより、階層表示手段２０の画像情報表示手段２２が、第２の情報表示領域１０２に表示中の商品情報ボックス１１１の商品情報に関連する画像情報、付属情報ボックス１１２の付属情報に関連する画像情報または材料情報ボックス１１３の材料情報に関連する画像情報を、別ウインドウで表示するようになっている。
【００３７】
図４は図３に示すツリー表示領域を使用して、本発明の一実施の形態におけるレコード間のショートカットによる登録処理を示す説明図である。
上記のように、商品台帳システム１００は、取引先情報と、商品情報と、付属情報と、材料情報とを互いに関連付けて格納する格納手段４１，５１，５２，５３と、取引先ごとに、商品情報と付属情報と材料情報とを互いに関連付けて格納手段４１，５１，５２，５３に登録及び格納する登録・編集手段７１，７２とを備える。そして、商品台帳システム１００は、図４に示すように、前記関連登録手段８１により、商品情報格納手段５１に登録・格納された（特定の取引先に関連付けられた）商品情報を、別の取引先の新規登録に係る商品情報としてショートカットにより関連付けて登録するようになっている。また、関連登録手段８１は、付属情報格納手段５２に登録・格納された（特定の商品に関連付けられた）付属情報を、別の商品の新規登録に係る付属情報としてショートカットにより関連付けて登録するようになっている。更に、関連登録手段８１は、材料情報格納手段５３に登録された（特定の付属品に関連付けられた）材料情報を、別の付属品の新規登録に係る材料情報としてショートカットにより関連付けて登録するようになっている。
【００３８】
具体的には、図４の左側に矢印で連結する囲み部分では、商品ＩＤ「１−２」の商品情報の下位情報である付属ＩＤ「１−２−１」の付属情報を、同一の取引先に関する別の商品情報（商品ＩＤ「１−３」）の下位情報である新規な付属情報として、前記関連登録手段８１によりショートカットで登録している。この場合、同一の付属ＩＤ「１−２−１」の付属情報が、商品ＩＤ「１−３」の下位情報としてショートカット登録されて第１の情報表示領域１０１に表示されるが、付属ＩＤ「１−２−１」の付属情報の実体は、あくまで、元の商品情報（商品ＩＤ「１−２」）の下位情報としての付属情報（付属ＩＤ「１−２−１」）の格納先に存在する。なお、図４では、ショートカット登録に係る付属情報（付属ＩＤ「１−２−１」）は、ＩＤを昇順に並べる関係で、商品ＩＤ「１−３」の商品情報の当初の下位情報である付属情報（付属ＩＤ「１−３−０」）より前に表示されているが、これを、当初の付属情報（付属ＩＤ「１−３−０」）の後に表示するようにしてもよい。同様に、図４の右側に矢印で連結する囲み部分では、ある取引先（取引先ＩＤ「２」）の商品情報（商品ＩＤ「２−６３」）の下位情報である付属ＩＤ「２−６３−０」の付属情報を、別の取引先（取引先ＩＤ「１」）の商品情報（商品ＩＤ「１−１」）の下位情報である新規な付属情報として、前記関連登録手段８１によりショートカットで登録している。この場合も、同一の付属ＩＤ「２−６３−０」の付属情報が、取引先ＩＤ「１」の商品ＩＤ「１−１」の下位情報としてショートカット登録されて第１の情報表示領域１０１に表示されるが、付属ＩＤ「２−６３−０」の付属情報の実体は、あくまで、元の商品情報（取引先ＩＤ「２」の商品ＩＤ「２−６３」）の下位情報としての付属情報（付属ＩＤ「２−６３−０」）の格納先に存在する。即ち、本実施の形態では、関連登録手段８１により、一つの（同一の）実体（商品情報、付属情報、材料情報）を、別個の取引先情報、商品情報または付属情報の下位情報としてショートカット登録することで、データの一元管理を可能にする一方、同一の実体データにより複数の手配（情報管理）を行うことができる。なお、ツリー表示手段１１は、関連登録手段８１によりショートカットとして登録した商品情報、付属情報または材料情報を、第１の情報表示領域１０１に表示した取引先名、商品名及び付属名のうち、当該商品情報、付属情報または材料情報が属する取引先名、商品名または付属名の下位情報として、当該商品名、付属名または材料名の前にショートカットアイコン（上向き曲線矢印）を付してツリー表示する。
【００３９】
図５は商品台帳ウインドウのうちの第２の情報表示領域の基本情報パネルに表示される商品情報ボックスを示す画面構成図である。
図５に示すように、商品情報ボックス１１１は、表示中の商品情報の商品ＩＤ及び商品名を表示するタイトルバー１１１ａと、表示中の商品情報の詳細をリストボックスやテキストボックス等で縦横に並列表示する情報欄１１１ｂとを有する。情報欄１１１ｂには、例えば、図５に示す各種項目が表示される。即ち、「指定番号」ボックスは、商品の得意先指定号を登録するためのものである。また、「別名」ボックスは、商品名と別名を登録するためのものであり、例えば、頻繁に取り扱う商品について「いつものやつ」等の別名を登録することで、後の検索に利用することができる。また、「販売単位」ボックスは、「商品」と「付属」との間で切替自在なリストボックスであり、納品書明細を商品で印刷するか、付属で印刷するかを選択するためのものである。また、「商品分類」ボックスは、商品の分類を登録するためのものである。また、「単位」ボックスは、商品の取り扱い単位を登録するためのものである。また、「仕入単位」ボックスは、「商品」と「付属」との間で切替自在なリストボックスであり、「商品」を選択した場合、発注書では商品単位で仕入先への発注が行われ、「付属」を選択した場合、商品情報ボックス１１１の下位の付属階層にある付属情報ボックス１１２の基本情報ボックス１１２Ａ（図６参照）に登録した仕入先を参照し、その仕入先に対して付属品ごとに発注が行われる。次に、「仕入先」ボックス、「日数」ボックス、「仕入品名」ボックス及び「課税区分」ボックスは、「仕入単位」ボックスで「商品」が選択された場合にアクティブとなるが、「仕入単位」ボックスで「付属」が選択された場合は、使用されないために非アクティブとなる（グレー表示となる）。なお、「仕入先」ボックスに登録した仕入先に発注が行われる。また、「日数」ボックスは、仕入に要する日数を登録する。また、「仕入品名」ボックスは、通常の商品名と異なる名称を仕入商品に付する場合に登録するものであり、通常は商品名が発注書に表示されるが、「仕入品名」ボックスに別名を入力すると、入力した仕入品名が発注書に表示される。「課税区分」ボックスは、外税及び内税の別を登録するためのものであり、初期値は外税となっている。また、「見積数量」ボックスは、見積を出した時の数量を登録するためのものである。また、「販売単価」ボックスは、商品の売値を登録するためのものである。また、「原単価」ボックスは、商品の原価を登録するためのものであり、製造の場合は材料費から、製品買いの場合は仕入価格から計算する。また、「仕入単価」ボックスは、売りに商品売り、付属売りがあるのと同様、仕入で商品仕入がある場合に使う単価欄である。
【００４０】
また、「背景色」ボックスは、第１の情報表示領域１０１にツリー表示した取引先、商品等や、参照画面などの背景色を設定するためのものであり、注意する商品の商品名の背景色を赤に設定する等で活用することができる。本実施の形態では、「背景色」ボックスが、前記カラーパレット呼出手段３１を構成し、「背景色」ボックスをクリックすると、カラーパレットが画面表示される。また、所望の項目（取引先名、商品名、付属名、材料名等）を選択した状態で、このカラーパレットから所望の色を選択すると、その色が「背景色」ボックス内に表示されると共に、前記背景色付与手段３２により、選択した項目の背景色が当該「背景色」ボックス内に表示された設定色となる。即ち、本実施の形態の商品台帳システム１００は、第１の情報表示領域１０１に表示した取引先名、商品名、付属名及び材料名の少なくともいずれか一つに対して、カラーパレット呼出手段３１により呼出したカラーパレットから所望の色を選択することにより、背景色付与手段３２により当該色の背景色を付与して強調表示することができる。次に、「荷姿区分」ボックスは、「商品」及び「付属」間で切替自在なリストボックスであり、商品がセット品である場合は「商品」を選択し、この場合、「荷姿区分」ボックスの下にある「積載平米」に登録した数値に基づき荷物の容積が計算される。一方、「付属」を選択した場合は、下位の付属情報ボックス１１２の詳細情報ボックス１１２Ｂに登録した積載平米に基づき、荷物の容積が計算される。また、「荷姿寸法」ボックスは、Ａ式や抜きのように、単純に実平米から積載平米を計算できない場合、この項目に寸法を入力し、荷物の容積を求めるためのものである。また、「積載平米」は、例えば、Ａ式を組み立てて中にパット類を入れた状態で出荷する場合、「荷姿区分」ボックスを「セット（商品）」とし、「積算平米」ボックスに積載平米数を入力して、荷物の容積計算に用いるためのものである。また、「メモ」ボックスは、商品についてのメモを書き込むためのものである。
【００４１】
図６は第２の情報表示領域の基本情報パネルに表示される付属情報ボックスの基本情報ボックスを示す画面構成図である。図７は第２の情報表示領域の基本情報パネルに表示される付属情報ボックスの詳細情報ボックスを示す画面構成図である。図８は第２の情報表示領域の基本情報パネルに表示される付属情報ボックスの備考情報ボックスを示す画面構成図である。
【００４２】
図６〜図８に示すように、付属情報ボックス１１２は、付属情報の基本情報を表示する基本情報ボックス１１２Ａと、付属情報の詳細情報を表示する詳細情報ボックス１１２Ｂと、付属情報の備考情報を表示する備考情報ボックス１１２Ｃとを有し、タブを選択することにより、そのうちのいずれかが基本情報パネル１１０に表示される。なお、付属情報ボックス１１２は、表示中の付属情報の付属ＩＤ及び付属名を表示するタイトルバー１１２ａを有する。図６に示すように、基本情報ボックス１１２Ａは、表示中の付属情報の基本情報をリストボックスやテキストボックス等で縦横に並列表示するものであり、例えば、図６に示す各種項目を表示する。即ち、「指定番号」ボックスは、付属階層レベルの得意先指定番号を登録するためのものである。また、「セット数」ボックスは、１商品（１セット）に対していくつ付属がつくかを登録するためのものであり、１商品で２つの付属の場合は２／１、３商品で１つの付属の場合（イチゴの箱のように身3つに蓋1つ）は１／３とする。また、「仕入単位」ボックスは、「付属」と「材料」との間で切替自在なリストボックスであり、「付属」を選択した場合は、付属品を仕入れること（即ち、製品買い）になり、「材料」を選択した場合は、材料階層のもの（材料）を仕入れて加工することになる。また、「仕入先」ボックスは、付属品を製品買いする場合の仕入先を登録するためのものである。また、「日数」ボックスは、付属品を製品買いする場合の仕入に要する日数を登録するためのものである。また、「仕入品名」ボックスは、仕入先に発注する時の品名を登録するためのものであり、付属名と異なる場合に使用する。なお、「仕入単位」ボックスで「材料」を選択すると、「仕入先」、「日数」、「仕入品名」の各ボックスは非アクティブ（グレー表示）となる。また、「在庫管理」ボックスは、製品在庫を持ち管理するかしないかを選択するためのものである。また、「在庫倉庫」ボックスは、製品の在庫倉庫を登録するためのものであり、自社の下に倉庫を登録する。また、「在庫場所」ボックスは、在庫が倉庫のどこにあるかを登録するためのものである。また、「在庫下限」ボックスは、ランニング在庫を持つ場合の下限数を登録するためのものである。
【００４３】
また、「配送方法」ボックスは、配送方法を指定するためのものであり、配送とは、自社のトラックで運ぶことを言う。詳細には、「配送方法」ボックスで配送方法として「配送しない」を選択すると、製品が自社にある場合、得意先が取りに来るか、宅配便で送ることになる。一方、製品が外注にある場合、得意先が取りに来るか、外注が直送することになる。また、「配送する」を選択すると、製品が自社にある場合、自社で運ぶことになり、製品が外注にある場合、外注まで取りに行き、そのまま配達することになる。更に、「自社に引き上げまで」を選択すると、製品が外注にある場合のみの対応となり、外注まで取りに行き、自社まで持ってくるか、得意先が取りに来ることになる。また、「自社まで持ってきてもらい配送」を選択すると、製品が外注にある場合のみの対応となり、外注が自社まで持ってきて、それを自社で配達することになる。また、「自社に一旦引き上げ配送」を選択すると、製品が外注にある場合のみの対応となり、外注まで取りに行き、一旦自社まで持ってきて、自社から配達することになる。次に、「納入先」ボックスは、得意先の納入先を登録するためのものである。また、「納入場所」ボックスは、納入先の場所を登録するためのものであり、「第一倉庫」、「倉庫右」等を登録する。また、「見積数量」ボックスは、見積を出した時の数量を登録するためのものである。また、「販売単価」ボックスは、付属品の売値を登録するためのものである。また、「原単価」ボックスは、付属品の原価を登録するためのものであり、製造の場合は材料費から、製品買いの場合は仕入価格から計算する。また、「仕入単価」ボックスは、製品買いの時に使用する単価欄である。また、「背景色」ボックスは、上記商品情報の「背景色」ボックスと同様、第１の情報表示領域１０１にツリー表示した取引先、商品等や、参照画面などの背景色を設定するためのものであり、注意する商品の商品名の背景色を赤に設定する等で活用することができる。
【００４４】
図７に示すように、詳細情報ボックス１１２Ｂは、表示中の付属情報の詳細情報をリストボックスやテキストボックス等で縦横に並列表示するものであり、例えば、図７に示す各種項目を表示する。即ち、「付属分類」ボックスは、付属品の分類を登録するためのものである。また、「単位」ボックスは、付属品の単位を登録するためのものであり、「型式」ボックスは、付属品の型式を登録するためのものである。また、「数量取決」ボックスは、「厳守」、「＋（ＯＫ）」、「−（ＮＧ）」等の納入数量の条件を登録するためのものである。また、「結束数」ボックスは、結束数を登録するためのものであり、「結束方法」ボックスは、結束方法を登録するためのものである。また、「荷姿」ボックスは、出荷の時の荷姿を登録するためのものであり、パレット積、ストレッチ巻き等を登録する。また、「荷姿寸法」ボックスは、Ａ式や抜きのように、単純に実平米から積載平米を計算できない場合、ここに寸法を入力し、荷物の容積を求めるためのものである。また、「積載平米」ボックスは、付属品の容積を登録するためのものであり、「寸法」ボックスは、付属品の内寸や外寸等を登録するためのものであり、「取平米」ボックスは、付属品の取平米（材料の合計）を登録するためのものであり、「実平米」ボックスは、付属品の実平米（材料の合計）を登録するためのものである。更に、図８に示すように、備考情報ボックス１１２Ｃは、表示中の付属情報の備考情報をリストボックスやテキストボックス等で縦横に並列表示するものであり、例えば、図８に示すように、伝票やカンバンなど、得意先にも分かっていい情報を入力するためのものである。なお、「メモ」ボックスは、自社内だけで分かる情報を入力し、伝票やカンバンには表示しない。
【００４５】
ここで、上記のように、階層表示手段２０の基本情報表示手段２１は、第２の情報表示領域１０２に表示する商品情報ボックス１１１に「仕入単位」ボックス（リストボックス）を設けて、仕入単位ボックスにより、商品単位での仕入である商品仕入と当該商品を構成する付属品単位の仕入である付属仕入とのいずれかを選択自在とし、「仕入単位」ボックスで商品仕入を選択すると、第２の情報表示領域１０２に表示された商品情報ボックス１１１のみで商品管理のために必要な情報（即ち、仕入単位である完成品としての商品に係る商品情報）を管理する。これにより、付属情報の管理は不要となるため、付属情報ボックス１１２は第２の情報表示領域に表示するが非アクティブ（入力・登録・編集操作不能）にする。更に、付属情報の管理が不要なることから材料情報の管理も不要となるため、材料情報ボックス１１３は第２の情報表示領域１０２に表示するが非アクティブにする。一方、「仕入単位」ボックスで「付属」仕入を選択すると、第２の情報表示領域１０２に表示された商品情報ボックス１１１及び付属情報ボックス１１２の両者で商品管理のために必要な情報（即ち、商品を製造するために必要な仕入単位の付属品に関する付属情報と、かかる付属品から製造された商品に関する商品情報）を管理する。これにより、従来の台帳システムは、ばら売りにのみ対応し、付属売りには付属仕入で対応していたのに対し、本実施の形態の商品台帳システム１００によれば、セット売りの場合と同様、セット仕入れ（外箱と内部の詰め物等）を商品情報（仕入単位）として管理することができる。
【００４６】
図９は第２の情報表示領域の基本情報パネルに表示される材料情報ボックスの手配区分ボックス部分を示す画面構成図である。図１０は第２の情報表示領域の基本情報パネルに表示される材料情報ボックスのうちシート情報ボックスを選択した状態を示す画面構成図である。図１１は第２の情報表示領域の基本情報パネルに表示される材料情報ボックスのうち半製品情報ボックスを選択した状態を示す画面構成図である。図１２は第２の情報表示領域の基本情報パネルに表示される材料情報ボックスのうち加工情報ボックスを選択した状態を示す画面構成図である。図１３は第２の情報表示領域の基本情報パネルに表示される材料情報ボックスのうち工程情報ボックスを選択した状態を示す画面構成図である。図１４は図１３の工程情報ボックスで使用する登録・編集ダイアログを示す画面構成図である。図１５は第２の情報表示領域の基本情報パネルに表示される材料情報ボックスのうち備考情報ボックスを選択した状態を示す画面構成図である。
【００４７】
図９〜図１５に示すように、材料情報ボックス１１３は、材料情報のシート情報を表示するシート情報ボックス１１３Ａ、材料情報の半製品情報を表示する半製品情報ボックス１１３Ｂ、材料情報の加工情報を表示する加工情報表示ボックス１１３Ｃ、材料情報の肯定情報を表示する工程情報表示ボックス１１３Ｄ及び材料情報の備考情報を表示する備考情報表示ボックス１１３Ｅを有し、タブを選択することにより、そのうちのいずれかが基本情報パネル１１０に表示される。なお、材料情報ボックス１１３は、表示中の材料情報の付属ＩＤ及び材料名を表示するタイトルバー１１３ａを有する。また、材料情報ボックス１１３は、材料情報ボックス１１３内においてシート情報ボックス１１３Ａ及び半製品情報ボックス１１３Ｂ以外の領域、本実施の形態ではその左端部に、手配区分領域１１３ｂを設けている。図９に示すように、手配区分領域１１３ｂには、「手配区分」ボックス等が表示されている。「手配区分」ボックスは、付属情報ボックス１１２の基本情報ボックス１１２Ａの「仕入単位」ボックスが「材料」となっているときに、材料レベルでシートを仕入れるのか、半製品を仕入れるのかを選択するためのものである。なお、段ボールシート以外は半製品とする。また、「セット数」ボックスは、付属品１に対し、その材料がいくつ必要かを登録するためのものであり、１つの付属品に対し２つ材料が必要な場合は２／１とし、２商品で１つの材料しか使用しない場合は２／１とする。また、「取平米」ボックスは、シート情報ボックス１１３Ａに登録してある寸法に基づき計算されるが、直接入力も可能である。また、「実平米」ボックスは、単純Ａ式の場合は前記寸法から計算され、抜きの場合は加工の刃渡り寸法から計算されるが、直接入力も可能である。
【００４８】
図１０に示すように、シート情報ボックス１１３Ａは、材料情報としてのシート情報をリストボックスやテキストボックス等で縦横に並列表示するものであり、例えば、図１０に示す各種項目を表示する。即ち、「製品取数」ボックスは、１枚のシートから製品（付属品）がいくつ取れるかを登録するためのものであり、４丁取りの場合は４／１、２ピースの場合は１／２と登録する。また、「フルート」ボックスは、フルートの種類を登録するためのものであり、「材質」ボックスは、材質を登録するためのものである。また、「巾（巾取）」ボックスは、「寸法（シート寸法）」または「罫（罫線寸法）」に対して巾取数を登録するためのものであり、「流れ（流れ取）」ボックスは、「寸法（シート寸法）」または「罫（罫線寸法）」に対して流れ取数を登録するためのものである。また、「仕入先」ボックスは、シートの仕入先を登録するためのものであり、自社貼合の場合は自社とし、シート購入の場合は仕入先を登録する。また、「日数」ボックスは、受注してから仕入、貼合出来るまでの日数を登録するためのものである。また、「コルゲータ」ボックスは、コルゲータが複数台ある場合に使用するコルゲータを選択するためのものである。また、「在庫管理」ボックスは、「管理しない」及び「管理する」間で切替自在なリストボックスであり、シートの在庫をおく場合、「管理する」に設定する。また、「在庫倉庫」ボックスは、シートの在庫の置き場所を登録するためのものであり、「在庫場所」ボックスは、さらに細かい場所を登録するためのものである。また、「在庫下限」ボックスは、シートのランニング在庫を持つ場合にその下限数を設定するためのものである。また、「工程配送」ボックスは、シートを第一工程に運ぶための方法を登録するためのものである。また、「単価区分」ボックスは、シートを仕入れる場合の単価の計算方法を登録するためのものである。また、「販売単価」ボックスは、シート（材料）をそのまま得意先に売る場合の単価を登録するためのものである。また、「原単価」ボックスは、シートの原価を登録するためのものであり、「仕入単価」ボックスは、シート単価一覧表に拠らない単価で仕入れる場合にその仕入単価を入力するためのものである。また、「発注備考」ボックスは、シートを発注する時の備考を入力するためのものであり、発注伝票等に表示される。また、「発注メモ」ボックスは、社内的なメモを入力するためのものである。また、「詳細情報を開く」のリンクをクリックすると、更に詳細な情報ボックスが開くようになっている。
【００４９】
図１１に示すように、半製品情報ボックス１１３Ｂは、材料階層における半製品情報をリストボックスやテキストボックス等で縦横に並列表示するものであり、印刷シート（半加工品）を購入して抜く場合や、発泡スチロール等は半製品情報ボックス１１３Ｂに情報登録する。なお、印刷シートの材質等は、シート情報ボックス１１３Ａに入力できる。半製品情報ボックス１１３Ｂは、例えば、図１１に示す各種項目を表示する。即ち、「製品取数」ボックスは、１枚の印刷シートから製品がいくつ取れるかを登録するためのものであり、４丁取りの場合は４／１、２ピースの場合は１／２と登録する。また、「仕入先」ボックスは、半製品の仕入先を登録するためのものである。また、「日数」ボックスは、受注してから仕入までの日数を登録するためのものである。また、「仕入品名」ボックスは、仕入先に発注する時の品名を登録するためのものであり、仕入品名が材料名と異なる場合に使用する。また、「在庫管理」ボックスは、「管理する」または「管理しない」を選択自在であり、半製品の在庫をおく場合は「管理する」に設定する。また、「在庫倉庫」ボックスは、半製品の在庫の置き場所を登録するためのものであり、「在庫場所」ボックスは、さらに細かい場所を登録するためのものである。また、「在庫下限」ボックスは、半製品のランニング在庫を持つ場合にその下限数を設定するためのものである。また、「工程配送」ボックスは、この半製品を第一工程に運ぶための方法を登録するためのものである。また、「見積数量」ボックスは、仕入れるために見積を取った時の半製品の数量を登録するためのものである。また、「販売単価」ボックスは、半製品をそのまま得意先（取引先）に販売する場合の単価を登録するためのものである。また、「原単価」ボックスは、半製品の原価を登録するためのものであり、「仕入単価」ボックスは、半製品の仕入単価を登録するためのものである。
【００５０】
図１２に示すように、加工情報ボックス１１３Ｃは、材料の加工情報をリストボックスやテキストボックス等で縦横に並列表示するものであり、例えば、図１２に示す各種項目を表示する。即ち、「インク」ボックスは、インク台帳よりインクの種類乃至色を参照登録するためのものであり、「印版番号」ボックスは、印版の保管場所を登録するためのものである。また、「印版購入先」ボックスは、印版をどこから購入したかにつき、印版業者より参照入力するためのものである。また、「厚み」ボックスは、印版の厚みを登録するためのものであり、「２．８４ｍｍ」、「７ｍｍ」、「６ｍｍ」のいずれかを選択するようになっている。また、「木型１」ボックスは、木型保管場所１を登録するためのものであり、「木型２」ボックスは、木型保管場所２を登録するためのものである。また、「刃渡寸法」ボックスは、木型（抜き型）の刃渡り寸法を登録するためのものであり、「木型購入先」ボックスは、木型をどこから購入したかにつき、木型業者より参照入力するためのものである。
【００５１】
図１３に示すように、工程情報ボックス１１３Ｄは、材料を付属品へと加工する場合の工程情報を工程順に登録するためのものであり、工程登録数は無限である。なお、ず、１３では、「番（工程順番）」が「１」、「２」、「３」の工程「４０１  印１」、「オートステッチ」、「空白（配送工程）」が登録されている。工程情報ボックス１１３Ｄは、上端部にツールバー１１３ｘを有し、ツールバー１１３ｘの「新規」ボタンをクリックすると、図１４に示す工程情報の登録・編集ダイアログ１１４が画面表示されるようになっている。また、ツールバー１１３ｘの「上へ」及び「下へ」ボタンをクリックすることにより、登録した工程の順序を移動できるようになっている。なお、肯定情報ボックス１１３Ｄでは、仕掛品の管理も可能である。また、材料を加工して付属品を製造したら、登録した工程情報は、別ウインドウにより、完成品としての付属品の付属情報へと繰り上げ処理されるようになっている。一方、図１４に示すように、登録・編集ダイアログ１１４は、「番号」欄に工程の順番を入力するようになっている。また、「加工場所」ボックスは、加工場所を自社とするか外注とするかを選択するようになっている。また、「工程」ボックスは、加工場所が自社の場合、工程台帳より「工程」を選択するようになっている。なお、外注での工程管理も可能である。また、「工程取数」ボックスは、一通し何枚かを登録するようになっており、製造実績で使用する。また、「配送方法」ボックスは、配送方法を登録するようになっている。ここで、配送とは、自社のトラックで運ぶことをいう。例えば、「配送方法」で「配送しない」を選択すると、製品が自社にある場合、次工程が取りに来ることになり、通常はこれを選択する。一方、製品が外注にある場合、次工程が取りに来るか、外注が直送することになる。また、「配送する」を選択すると、製品が自社にある場合、自社で運ぶことになり、製品が外注にある場合、外注まで取りに行き、そのまま配達することになる。また、「自社に引き上げまで」を選択すると、製品が外注にある場合のみの対応となり、外注まで取りに行き、自社まで持ってくることになるか、外注が取りに来ることになる。また、「自社まで持ってきてもらい配送」を選択すると、製品が外注にある場合のみの対応となり、外注が自社まで持ってきて、それを自社で外注に配達することになる。また、「自社に一旦引き上げ配送」を選択すると、製品が外注にある場合のみの対応となり、外注まで取りに行き、一旦自社まで持ってきて、自社から外注に配達することになる。次に、「材料販売の各欄（ボックス）は、材料を有償支給する場合に使用する。即ち、「単価区分」ボックスは、「通常」、「シート通常」または「シート特値」の中から選択する。ここで、「通常」とは、数量＊単価の場合の単価をいう。また、「シート通常」とは、その外注先に対するシート単価台帳により平米計算したものをいう。更に、「シート特値」とは、単価欄に入力した単価で平米計算したものをいう。次に、「単価区分」ボックスは、「通常」、「一律」、「通常＋一律」の中から選択する。ここで、「通常単価」とは、外注単価、仕入単価のことをいう。次に、「数量」ボックス及び「一律���価」ボックスは、１０００以下一律８０００円等の場合に適用される。また、「セット時間」ボックスは、工程台帳より値を参照し、その修正も可能である。また、「加工効率」ボックスは、工程台帳より値を参照し、その修正も可能である。また、「加工日数」ボックスは、工程台帳より値を参照し、その修正も可能である。また、「人員」ボックスは、工程台帳より値を参照し、その修正も可能である。また、「機械番号」ボックスは管理装置の番号を入力し、「備考」ボックスは工程備考を入力し、「メモ」ボックスはメモを入力するためのものである。
【００５２】
ここで、上記のように、階層表示手段２０は、第２の情報表示領域１０２に表示する付属情報ボックス１１２の基本情報ボックス１１２Ａに「仕入単位」ボックス（リストボックス）を設けて、「仕入単位」ボックスにより、付属品単位の仕入である付属仕入と当該付属品を構成する材料単位での仕入れである材料仕入とのいずれかを選択自在とし、「仕入単位」ボックスで付属仕入を選択すると、第２の情報表示領域１０２に表示された付属情報ボックス１１２のみで付属品管理のために必要な情報（即ち、仕入単位である付属品に係る付属情報）を管理する。これにより、材料情報の管理は不要となるため材料情報ボックス１１３は第２の情報表示領域１０２に表示するが非アクティブ（入力・登録・編集操作不能）にする。一方、「仕入単位」ボックスで材料仕入を選択すると、第２の情報表示領域１０２に表示された付属情報ボックス１１２及び材料情報ボックス１１３の両者で付属品管理のために必要な情報（即ち、付属品を製造するために必要な仕入単位の材料に関する材料情報と、かかる材料から製造された付属品に関する付属情報）を管理する。また、階層表示手段２０は、材料情報ボックス１１３内に、自社で材料としてのシート材料を加工（印刷・打抜き）して付属品を製造する場合における仕入材料としての当該シート材に関する材料情報であるシート情報を表示するシート情報ボックス１１３Ａと、外部（外注、他社等）で材料を加工して製造した付属品用の半製品（半加工品）を仕入れる場合における当該半製品に関する材料情報である半製品情報を表示する半製品情報ボックス１１３Ｂとを選択的に表示自在とする。また、階層表示手段２０は、材料情報ボックス１１３内においてシート情報ボックス１１３Ａ及び半製品情報ボックス１１３Ｂ以外の手配区分領域１１３ｂに、「手配区分」ボックスを設けて、付属情報ボックス１１３の「仕入単位」ボックスで材料仕入を選択した場合に、「手配区分」ボックスにより、前記シート付単位の仕入であるシート仕入と半製品単位の仕入である半製品仕入とのいずれかを選択自在とする。一方、階層表示手段２０は、「手配区分」ボックスでシート仕入を選択すると、第２の情報表示領域１０２に表示されたシート情報ボックス１１３Ａにより材料管理のために必要な情報（即ち、仕入単位であるシート材に係る材料情報）を管理する。これにより、半製品情報の管理は不要となるため半製品情報ボックス１１３Ｂは第２の情報表示領域１０２の材料情報ボックス内にタブ選択で表示自在としてもよいが非アクティブ（入力・登録・編集操作不能）にする。一方、「手配区分」ボックスで半製品仕入を選択すると、第２の情報表示領域１０２に表示された半製品情報ボックス１１３Ｂにより材料管理のために必要な情報（即ち、付属品を製造するために必要な仕入単位の半製品に関する半製品情報）を管理する。これにより、従来の台帳システムのように、シート材と半製品とに別個の区分のＩＤ（材料コード）を付して管理する場合と比較して、管理、編集等の煩雑さをなくし、同一区分である材料区分コードを付して一元管理することができる。即ち、本実施の形態の商品台帳システム１００は、第１の情報表示領域１０１に表示した単一の材料コード（材料ＩＤ）に対応して、シート情報及び半製品情報（半加工品情報）を簡単に一元管理することができる。
【００５３】
図１６は第２の情報表示領域の画像情報パネルを示す画面構成図である。画像情報パネル１２０は、上端部に、タイトルバー１２０ａを有している。第２の情報表示領域１０２に表示中の商品情報ボックス１１１、付属情報ボックス１１２または材料情報ボックス１１３のいずれかを選択して画像情報パネル１２０のタブをクリックすると、タイトルバー１２０ａに、当該選択された商品情報ボックス１１１、付属情報ボックス１１２または材料情報ボックス１１３の商品ＩＤ及び商品名、付属ＩＤ及び付属名または材料ＩＤ及び材料名が表示される。また、画像情報パネル１２０の主要部（大部分）は、その左側部をサムネイル表示部１２１とし、残り部分を詳細表示部１２２としている。更に、画像情報パネル１２０の上端部には、ツールバー１２３が表示され、下端部には、画像編集バー１２５が表示されている。ツールバー１２３の「スキャン」ボタンをクリックすると、ＴＷＡＩＮが起動し、所望の画像を商品台帳システム１００に直接スキャンできるようになっている。このとき、商品コード（商品ＩＤ）を自動的にファイル名とするので、コード入力は不要である。また、画像をＪｐｅｇで管理するため、減色処理も不要である。更に、回転などの画像処理も、画像編集バー１２４を介して予め用意したプログラムで行うため、他の画像処理用のソフトは不要である。加えて、１つの商品コードに対して何枚もの画像をスキャンすることができる。なお、スキャンした画像は、サムネイル表示部１２１にサムネイル形式で表示することができる。また、商品・付属・材料の３階層でスキャンすることができる。一方、ツールバー１２３の「読込」ボタンをクリックすると、画像を格納する所定のフォルダが開き、デジタルカメラ等で撮影した画像も保存することができる。
【００５４】
即ち、本実施の形態の商品台帳システム１００では、第２の情報表示領域１０２が、基本情報パネル１１０と、画像情報パネル１２０と、ファイル情報パネル１３０と、取引明細情報パネル１４０とを選択自在に表示し、階層表示手段２０の基本表示手段２１が、商品情報ボックス１１１、付属情報ボックス１１２及び材料情報ボックス１１３を基本情報パネル１１０に階層表示する。そして、階層表示手段２０の画像情報表示手段２２は、基本情報パネル１１０に表示した特定の商品情報ボックス１１１を選択した状態で画像情報パネル１２０を開くと、当該商品情報ボックス１１１に係る商品の画像情報である商品画像情報を当該画像情報パネル１２０に表示する。また、画像情報表示手段２２は、基本情報パネル１１０に表示した特定の付属情報ボックス１１２を選択した状態で画像情報パネル１２０を開くと、当該付属情報ボックス１１２に係る付属品の画像情報である付属画像情報を当該画像情報パネル１２０に表示する。更に、画像情報表示手段２２は、基本情報パネル１１０に表示した特定の材料情報ボックス１１３を選択した状態で画像情報パネル１２０を開くと、当該材料情報ボックス１１３に係る材料の画像情報である材料画像情報を当該画像情報パネル１２０に表示する。更に、画像登録手段としての登録編集手段７３が、画像情報パネル１２０を開いたときに、新たな画像情報を登録するための画像登録ボタンとしての「スキャン」ボタン及び「読込」ボタンを当該画像情報ボックスの一部に表示すると共に、画像情報パネル１２０内の画像登録ボタンを選択実行すると、新規画像登録用の画像登録画面（ＴＷＡＩＮまたは画像ファイル格納フォルダ画面）を別ウインドウで表示する。そして、登録編集手段７３が、基本情報パネル１１０内の商品情報ボックス１１１、付属情報ボックス１１２及び材料情報ボックス１１３のいずれか一つを選択した状態で画像情報パネル１２０を開き、当該画像情報パネル１２０内の画像登録ボタンを選択実行して画像登録手段により新規画像を登録すると、当該画像情報パネル１２０との関係で選択状態にある商品情報ボックス１１１の商品情報（商品ＩＤ）、付属情報ボックスの付属情報（付属ＩＤ）または材料情報ボックスの材料情報（材料ＩＤ）と関連付けて、当該新規画像を画像格納手段６１に登録・格納する。
【００５５】
一方、前記階層表示手段のファイル情報表示手段２３は、基本情報パネル１１０に表示した特定の商品情報ボックス１１１を選択した状態でファイル情報パネル１３０を開くと、当該商品情報ボックス１１１に係る商品のファイル情報であるＣＡＤ情報等の商品ファイル情報を当該ファイル情報パネル１３０に表示する。また、ファイル情報表示手段２３は、基本情報パネル１１０に表示した特定の付属情報ボックス１１２を選択した状態でファイル情報パネル１３０を開くと、当該付属情報ボックス１１２に係る付属品のファイル情報である付属ファイル情報を当該ファイル情報パネル１３０に表示する。更に、ファイル情報表示手段２３は、基本情報パネル１１０に表示し）特定の材料情報ボックス１１３を選択した状態でファイル情報パネル１３０を開くと、当該材料情報ボックス１１３に係る材料のファイル情報である材料ファイル情報を当該ファイル情報パネル１３０に表示する。また、階層表示手段の取引明細表示手段２４は、基本情報パネル１１０に表示した特定の商品情報ボックス１１１を選択した状態で取引明細情報パネル１４０を開くと、当該商品情報ボックス１１１に係る商品の取引明細情報である商品取引明細情報を当該取引明細情報パネル１４０に表示する。また、取引明細表示手段２４は、基本情報パネル１１０に表示した特定の付属情報ボックス１１２を選択した状態で取引明細情報パネル１４０を開くと、当該付属情報ボックス１１２に係る付属品の取引明細情報である付属取引明細情報を当該取引明細情報パネル１４０に表示する。更に、取引明細表示手段２４は、基本情報パネル１１０に表示した特定の材料情報ボックス１１３を選択した状態で取引明細情報パネル１４０を開くと、当該材料情報ボックス１１３に係る材料の取引明細情報である材料取引明細情報を当該取引明細情報パネル１４０に表示する。
【００５６】
ところで、本発明は、上記実施の形態のように、商品台帳システムとして具体化するほかにも、商品台帳システム用プログラムとして具体化することもできる。また、本発明は、かかる商品台帳システム用プログラムを記録したコンピュータ読み取り可能な記録媒体として具体化することもできる。更に、本発明は、ダンボール製造業者等用の商品台帳システムとして特に適したものであるが、完成品、部品、材料の関係を階層構造で有する商品を管理するその他の商品台帳システムに適用することも可能である。
【図面の簡単な説明】
【００５７】
【図１】図１は本発明の一実施の形態に係る商品台帳システムの全体構成を示す機能ブロック図である。
【図２】図２は本発明の一実施の形態に係る商品台帳システムのＧＵＩを構成する商品台帳ウインドウを示す画面構成図である。
【図３】図３は商品台帳ウインドウのうちの第１の情報表示領域としてのツリー表示領域を示す画面構成図である。
【図４】図４は図３に示すツリー表示領域を使用して、本発明の一実施の形態におけるレコード間のショートカットによる登録処理を示す説明図である。
【図５】図５は商品台帳ウインドウのうちの第２の情報表示領域の基本情報パネルに表示される商品情報ボックスを示す画面構成図である。
【図６】図６は第２の情報表示領域の基本情報パネルに表示される付属情報ボックスの基本情報ボックスを示す画面構成図である。
【図７】図７は第２の情報表示領域の基本情報パネルに表示される付属情報ボックスの詳細情報ボックスを示す画面構成図である。
【図８】図８は第２の情報表示領域の基本情報パネルに表示される付属情報ボックスの備考情報ボックスを示す画面構成図である。
【図９】図９は第２の情報表示領域の基本情報パネルに表示される材料情報ボックスの手配区分ボックス部分を示す画面構成図である。
【図１０】図１０は第２の情報表示領域の基本情報パネルに表示される材料情報ボックスのうちシート情報ボックスを選択した状態を示す画面構成図である。
【図１１】図１１は第２の情報表示領域の基本情報パネルに表示される材料情報ボックスのうち半製品情報ボックスを選択した状態を示す画面構成図である。
【図１２】図１２は第２の情報表示領域の基本情報パネルに表示される材料情報ボックスのうち加工情報ボックスを選択した状態を示す画面構成図である。
【図１３】図１３は第２の情報表示領域の基本情報パネルに表示される材料情報ボックスのうち工程情報ボックスを選択した状態を示す画面構成図である。
【図１４】図１４は図１３の工程情報ボックスで使用する登録・編集ダイアログを示す画面構成図である。
【図１５】図１５は第２の情報表示領域の基本情報パネルに表示される材料情報ボックスのうち備考情報ボックスを選択した状態を示す画面構成図である。
【図１６】図１６は第２の情報表示領域の画像情報パネルを示す画面構成図である。
【符号の説明】
【００５８】
１：モニタ、２：画面、１１：情報領域表示手段、２０：階層表示手段
２１：基本情報表示手段、２２：画像情報表示手段、２３：ファイル情報表示手段
２４：取引明細表示手段、３１：カラーパレット呼出手段、３２：背景色付与手段
４１：取引先情報格納手段、５１：商品情報格納手段、５２：付属情報格納手段
５３：材料情報格納手段、６１：画像情報格納手段、６２：ファイル情報格納手段
６３：取引明細情報格納手段、７１：登録・編集手段、７２：登録・編集手段
７３：登録・編集手段、７４：登録・編集手段、７５：登録・編集手段
８１：関連登録手段、８５：手配区分手段、１０１：第１の情報表示領域
１０２：第２の情報表示領域、１１０：基本情報パネル、１１１：商品情報ボックス
１１２：付属情報ボックス、１１２Ａ：基本情報ボックス、１１３：材料情報ボックス
１１３Ａ：シート情報ボックス、１１３Ｂ：版製品情報ボックス
１２０：画像情報パネル、１３０：ファイル情報パネル、１４０：取引明細情報パネル
【図１】
2007108870.tif 000003
【図２】
2007108870.tif 000004
【図３】
2007108870.tif 000005
【図４】
2007108870.tif 000006
【図５】
2007108870.tif 000007
【図６】
2007108870.tif 000008
【図７】
2007108870.tif 000009
【図８】
2007108870.tif 000010
【図９】
2007108870.tif 000011
【図１０】
2007108870.tif 000012
【図１１】
2007108870.tif 000013
【図１２】
2007108870.tif 000014
【図１３】
2007108870.tif 000015
【図１４】
2007108870.tif 000016
【図１５】
2007108870.tif 000017
【図１６】
2007108870.tif 000018